(57)【要約】【課題】バリが導線に損傷を及ぼすことのないボビンを提供する。ボビン成形型の寿命を延長可能な形状のボビンを提供する。【解決手段】コイル巻回部１１の円筒面１１ａに、パーティングラインＰＬに沿ってバリＢを完全に収容可能な凹部１５を設け、且つ凹部１５をコイル巻回部１１の型１０１、１０２の移動方向Ｋと平行に形成した。これにより、ボビン１０に導線２０巻回する工程において導線２０がバリＢに乗り上げて損傷を受けることを防止できるとともに、ボビンを成形型から離型させる際にボビンから成形型に及ぼす押圧力をなくして成形型の寿命を延長することができる。【選択図】図４
2007317967.tif 000002
【特許請求の範囲】
【請求項１】
円筒面を備え該円筒面の周方向に導線が巻回される円筒状のコイル巻回部を備え樹脂材料を成型加工して形成されるボビンであって、
前記コイル巻回部は前記コイル巻回部の径方向に移動して離合する２つの型により成型加工され、
前記コイル巻回部の円筒面上には前記型のパーティングラインに沿ってバリが形成され、
前記コイル巻回部には前記パーティングラインに沿って凹部が設けられ、
前記凹部はコイル巻回工程において導線により折り曲げられた前記バリを収容可能に形成され、
前記凹部は前記型の移動方向と平行に形成されることを特徴とするボビン。
【請求項２】
前記凹部は径方向において前記円筒面よりも下方且つ周方向において前記パーティングラインよりも前記円筒面側に突き出していることを特徴とする請求項１に記載のボビン。
【請求項３】
前記凹部は前記パーティングラインから前記円筒面の周方向において離れるに連れて前記円筒面の径方向において前記型の移動方向よりも内側に向かうように形成されることを特徴とする請求項１または請求項２に記載のボビン。
【発明の詳細な説明】
【技術分野】
【０００１】
この発明は、例えば、オートマチックミッションの変速装置制御のための油圧回路制御に用いられる、電磁弁に内蔵されるコイル装置のボビンに関するものである。
【背景技術】
【０００２】
従来の電磁弁に内蔵されるコイル装置のボビンは、コイルが巻回される円筒部とその両端に形成されたフランジ部とからなり、樹脂成型により形成されている。ボビンの円筒部は、円筒部の径方向に分割される一対の型により成型加工される。一対の型は半円筒状のキャビティを備え、これらの型が型締めされる（密着固定される）と、両型のキャビティが一つの円筒面を形成する。樹脂成型されたボビンの円筒部表面には、両型の接合面の端縁であるパーティングラインが転写される。各型の接合面は平滑に仕上げられているものの微細な凹凸があるため、両者の接合部には微細な隙間が生じる。円筒部の成型加工時において、型に加圧注入された溶融樹脂が上述の隙間に侵入し、その結果、ボビンの円筒部に、パーティングラインに沿って薄板状の突起、すなわちバリが発生する。ボビンに導線を巻回する際に、導線の絶縁被覆がバリに当接して損傷を受ける可能性がある。
【０００３】
この対策として、従来のボビンとして、バリが発生するボビンのアンダーカット部を、ボビン成形型のパーティングラインに沿って、型のキャビティ内に突出する膨出条部を形成し、それによりボビンにアンダーカット部を設け、このアンダーカット部の底部にばりが発生するよようにし、且つ上記アンダーカット部の大きさを発生するバリの大きさより大きくした構成のものがある（特許文献１参照）。
【０００４】
上述の構成によれば、ボビンにバリが発生しても、導線にバリが当接することはない。
【特許文献１】特開２００３−３４７１１７号公報
【発明の開示】
【発明が解決しようとする課題】
【０００５】
しかしながら、上述した従来のボビンはアンダーカット部を備えるため、いわゆる無理抜きとなり、成形型からボビンを離型する際に型とボビンとが強く擦れる。このため、型の磨耗が早まり型寿命が短くなるという問題がある。
【０００６】
また、ボビンの高温強度を上げるために樹脂材料にガラス繊維を混入することが行われているが、このようなガラス繊維強化樹脂の場合は、さらに型寿命が短縮する。
【０００７】
本発明は、上記のような問題点を解決するためになされたもので、バリの発生を許容するものの、導線巻回時に導線により押折されたバリをボビンの円筒面に設けた凹部に収容することによって、バリが導線に損傷を及ぼすことのないボビンを提供することを第１の目的としている。また、ボビン成形型の寿命を延長可能な形状のボビンを提供することを第２の目的としている。
【課題を解決するための手段】
【０００８】
本発明は上記目的を達成する為、以下の技術的手段を採用する。
【０００９】
本発明の請求項１に記載のボビンは、円筒面を備え円筒面の周方向に導線が巻回される円筒状のコイル巻回部を備え樹脂材料を成型加工して形成されるボビンであって、コイル巻回部はコイル巻回部の径方向に移動して離合する２つの型により成型加工され、コイル巻回部の円筒面上には型のパーティングラインに沿ってバリが形成され、コイル巻回部にはパーティングラインに沿って凹部が設けられ、凹部はコイル巻回工程において導線により折り曲げられたバリを収容可能に形成され、凹部は型の移動方向と平行に形成されることを特徴としている。
【００１０】
上述の構成によれば、凹部は、コイル巻回部の周方向においてパーティングラインに隣接している、言い換えるとバリに隣接して配置されている。このため、コイル巻回部に導線を巻き付ける工程において、導線を巻き付けていく方向を円筒面からパーティングラインを経てこのパーティングラインに隣接した凹部側へ向かう方向とすれば、バリは、導線により押し折られて凹部側に倒れて、凹部内に収容される。したがって、導線がバリに乗り上げている状態が解消されるので、バリにより導線が損傷を受けることを防止可能なボビンを提供することができる。
【００１１】
また、凹部は型の移動方向と平行に形成されるので、ボビンの成型工程において、コイル巻回部を成形型から離型するときに、コイル巻回部は、成形型と摺動するものの、従来のボビンの成型加工時のように成形型を押圧することはない。したがって、成形型の磨耗度合いを小さく抑えて、成形型の寿命を延長可能なボビンを提供することができる。
【００１２】
本発明の請求項２に記載のボビンは、凹部は、径方向において円筒面よりも内側且つ周方向においてパーティングラインよりも円筒面側に突き出していることを特徴としている。
【００１３】
上述の構成によれば、凹部は、隣接する円筒面の裏側部分までおよんでいる、言い換えるとバリの根元の裏側部分が抉られた状態となり、バリの根元部分の強度が低下する。このため、コイル巻回部に導線を巻き付ける工程において、円筒面からパーティングラインを経てこのパーティングラインに隣接した凹部側へ向かう方向に導線を巻き付けると、バリは、より容易に導線によって押折される。したがって、コイル巻回部に導線を巻き付ける工程において、バリを確実に押折し且つ凹部内に収容することができる。
【００１４】
本発明の請求項３に記載のボビンは、凹部は、パーティングラインから円筒面の周方向において離れるに連れて円筒面の径方向において型の移動方向よりも内側に向かうように形成されることを特徴としている。
【００１５】
上述の構成では、コイル巻回部は、その成形型内において、凹部は、型の移動方向において型の当接面から離れるに連れて円筒面の径方向において内側に向かう形状となっている。言い換えると、コイル巻回部は、その成形型に対して抜け勾配を持つような形状となっている。したがって、ボビンの成型工程において、コイル巻回部を成形型から離型するときに、コイル巻回部がその成形型に対して移動開始すると、コイル巻回部は直ちに成形型から離れる。これにより、成形型の磨耗度合いを大幅に低減して、成形型の寿命を延長することができる。
【発明を実施するための最良の形態】
【００１６】
実施の形態１．
以下、本発明の一実施形態によるボビンを、自動車の自動変速機における油圧回路制御に用いられる電磁弁が備えるコイル装置のボビンに適用した場合を例に、図に基づいて説明する。
【００１７】
図１は、本発明の一実施形態によるボビン１０の軸方向の断面図である。
【００１８】
図２は、図１中のＩＩ−ＩＩ線断面図である。
【００１９】
図３は、図１中のＩＩＩ矢視図である。
【００２０】
図４は、図１中のＩＶ部拡大図である。
【００２１】
図５は、ボビン１０のコイル巻回部１１の成型加工終了時（型開放前）を示す断面図である。
【００２２】
図６（ａ）、（ｂ）は、ボビン１０への導線２０巻回工程における、バリＢと導線２０との位置関係を説明する模式図である。
【００２３】
ボビン１０は、図１に示すように、円筒面１１ａを備え、円筒面１１ａの周方向に導線が巻回される円筒状のコイル巻回部１１と、コイル巻回部１１の両端に配置されるフランジ１２、１３と、貫通孔１４とから構成されている。
【００２４】
ボビン１０は、樹脂材料を成型加工して形成されている。ボビン１０に用いられる材料としては、たとえばガラス繊維入りのポリアミド樹脂が用いられている。
【００２５】
コイル巻回部１１は図１に示すように円筒状に形成され、その表面である円筒面１１ａには、コイル巻回部１１を成型加工する型１０１、１０２を型締めにより密着させたときの接合面の端縁が転写されて微小幅且つ微小高さのパーティングラインＰＬが、図３に示すように形成されている。
【００２６】
また、コイル巻回部１１を成型加工する型１０１、１０２を型締めにより密着させたときに両型の隙間に注入された樹脂が流入することにより、薄板状に突き出したバリＢが、図４に示すように、パーティングラインＰＬに沿って形成される。型締め時に型１０１、１０２間に形成される隙間の形状は、両型１０１、１０２の接合面の端縁全長に亘り一様ではないので、バリＢの突き出し長さ（図４における左右方向長さ）は一様ではなく不規則なものになる。
【００２７】
コイル巻回部１１を成型加工する型１０１、１０２は、コイル巻回部１１の直径上で二分割して形成されている。したがって、パーティングラインＰＬは、円筒面１１ａ上に１８０度間隔で２箇所に形成され、バリＢも同様に各パーティングラインＰＬ上に形成されている。
【００２８】
コイル巻回部１１の円筒面１１ａには、図２に示すように、凹部１５が形成されている。凹部１５は、コイル巻回部１１の全長に亘り、円筒面１１ａよりも内側に窪んだ形状に形成されている。凹部１５は、図３に示すように、パーティングラインＰＬに沿い且つパーティングラインＰＬに隣接して形成され、その断面形状は、全長に亘り一様に図２に示すような形状となっている。凹部１５は、円筒面１１ａの各パーティングラインＰＬを端部として２個設けられるとともに、図２に示すように、円筒面１１ａの中心軸Ｃに対して回転対称状に設けられている。
【００２９】
次に、凹部１５の形状について詳細に説明する。
【００３０】
凹部１５は、図５に示すように、コイル巻回部１１を成型加工する型１０１、１０２の移動方向Ｋと平行に形成されている。
【００３１】
凹部１５の円筒面１１ａの径方向における最大凹み長さ、すなわち、パーティングラインＰＬ部における凹み長さＤ（図４参照）は、バリＢの最大厚さｔ（図４参照）よりも大きく設定されている。同時に、凹部１５の円筒面１１ａの周方向における長さＬは、バリＢの最大突き出し高さＨ（図４参照）よりも大きく設定されている。つまり、凹部１５は、バリＢを完全に収容できるような大きさに形成されている。すなわち、図４に示すように、凹部１５と円筒面１１ａを延長した輪郭面１１ｂにより囲まれる空間内に、バリＢが完全に収容される。
【００３２】
凹部１５を型１０１、１０２の移動方向Ｋと平行に形成したことにより、コイル巻回部１１を型１０１、１０２から離型させる工程において、凹部１５は、型１０１、１０２と摺動するものの、凹部１５から型１０１、１０２へ押圧力を作用させることがない。
【００３３】
したがって、従来のボビンの場合における、コイル巻回部を型から離型させる際に、コイル巻回部のアンダーカット部が型に対して押圧力を作用させ、それにより、型の磨耗が促進される、という問題を解消することができる。
【００３４】
次に、本発明の一実施形態によるボビン１０の特徴である凹部１５の作用効果について、主に、ボビン１０に導線２０を巻き付ける工程における作用効果について、図６に基づいて説明する。
【００３５】
ボビン１０には、導線２０が、図２において時計回り、つまり右回りに巻き付けられる。すなわち、導線２０は、図６（ａ）に示すように、円筒面１１ａからバリＢ（パーティングラインＰＬ）を越えて凹部１５に到る方向に巻き付けられている。なお、導線２０として、たとえばウレタン樹脂で被覆された銅線が用いられる。
【００３６】
導線２０は、コイル巻回部１１のフランジ１２あるいはフランジ１３側の端部から巻き始められる。導線２０がバリＢにさしかかると、バリＢは、図６（ａ）に示すように、導線２０に押されて折れ曲がる。さらに、導線２０がバリＢを通過すると、バリＢは、図６（ｂ）に示すように、完全に折り曲げられて、凹部１５内に収容された状態となる。
【００３７】
なお、本発明の一実施形態によるボビン１０では、凹部１５は、円筒面１１ａの各パーティングラインＰＬに対応して、図２に示すように、円筒面１１ａの中心軸Ｃに対して回転対称状に設けられているので、図６に示すバリＢと反対側のバリＢも、図６（ｂ）に示すような状態となる。
【００３８】
本発明の一実施形態によるボビン１０においては、コイル巻回部１１の円筒面１１ａ上のパーティングラインＰＬに沿って凹部１５を設けている。このため、コイル巻回部１１に導線２０を巻回する工程において、バリＢは、導線２０により折り曲げられ、且つ凹部１５内に収容される。すなわち、コイル巻回部１１に導線２０が巻回されると、バリＢは円筒面１１ａの輪郭線の外側にほとんど出っ張らない。したがって、従来のボビンのように、コイル巻回部に巻回された導線がバリに乗り上げて導線が損傷を受ける、という問題を解消することができる。
【００３９】
また、凹部１５の形状を、バリＢを完全に収容できるような大きさに形成したことにより、導線２０の巻回工程で折り曲げられたバリＢに導線２０が乗り上げた状態になることを確実に防止できる。
【００４０】
以上説明したように、本発明の一実施形態によるボビン１０によれば、導線巻回工程において導線がバリに乗り上げて損傷を受けることを防止でき、且つボビンを成形型から離型させる際にボビンから成形型に及ぼす押圧力をなくして成形型の寿命を延長できるようなボビン１０を提供することができる。
【００４１】
図７に、本発明の一実施形態の変形例によるボビン１０の部分断面図を示す。
【００４２】
本発明の一実施形態の変形例によるボビン１０は、凹部１５の形状が変更されている。すなわち、凹部１５を、図７に示すように、円筒面１１ａより内径側且つ周方向においてパーティングラインＰＬよりも円筒面１１ａ側（図７においては上方）に突き出して形成されている。
【００４３】
凹部１５をこのような形状に形成すれば、バリＢの根元の剛性を低下させて、導線２０の巻回工程において、バリＢが容易に折れ曲がるようにすることができる。
【００４４】
図８に、本発明の一実施形態における他の変形例によるボビン１０の部分断面図を示す。
【００４５】
本発明の一実施形態における他の変形例によるボビン１０は、凹部１５の形状が変更されている。すなわち、凹部１５を、図８に示すように、パーティングラインＰＬから円筒面１１ａの周方向において離れるに連れて円筒面１１ａの径方向において型の移動方向Ｋよりも内側に向かうように形成した。なお、図８中には、本発明の一実施形態によるボビン１０の凹部１５の形状を一点鎖線で示している。
【００４６】
凹部１５をこのような形状に形成すれば、ボビン１０の成型工程において、コイル巻回部１１を型１０１、１０２から離型するときに、コイル巻回部１１が型１０１、１０２に対して移動を開始すると、コイル巻回部１１は直ちに型１０１、１０２から離れる。したがって、成形型の磨耗度合いを大幅に低減して、成形型の寿命を延長することができる。
【図面の簡単な説明】
【００４７】
【図１】本発明の一実施形態によるボビン１０の軸方向の断面図である。
【図２】図１中のＩＩ−ＩＩ線断面図である。
【図３】図１中のＩＩＩ矢視図である。
【図４】図１中のＩＶ部拡大図である。
【図５】ボビン１０のコイル巻回部１１の成型加工終了時（型開放前）を示す断面図である。
【図６】（ａ）、（ｂ）は、ボビン１０への導線２０巻回工程における、バリＢと導線２０との位置関係を説明する模式図である。
【図７】本発明の一実施形態の変形例によるボビン１０の部分断面図である。
【図８】本発明の一実施形態における他の変形例によるボビン１０の部分断面図である。
【符号の説明】
【００４８】
１０    ボビン
１１    コイル巻回部
１１ａ    円筒面
１１ｂ    輪郭面
１２、１３    フランジ
１４    貫通孔
１５    凹面
２０    導線
１０１、１０２    型
Ｂ    バリ
Ｃ    中心軸
Ｄ    長さ
Ｈ    高さ
Ｋ    移動方向
Ｌ    長さ
ＰＬ    パーティングライン
ｔ    厚さ
５    コイル線
６    パーティングライン
７    コイル巻き面
８    アンダーカット部
９，１０，１１    樹脂型
１２    樹脂注入空間
１３    膨出条部
【図１】
2007317967.tif 000003
【図２】
2007317967.tif 000004
【図３】
2007317967.tif 000005
【図４】
2007317967.tif 000006
【図５】
2007317967.tif 000007
【図６】
2007317967.tif 000008
【図７】
2007317967.tif 000009
【図８】
2007317967.tif 000010